【手続補正書】
【提出日】平成17年1月18日(2005.1.18)
【手続補正１】
【補正対象書類名】明細書
【補正対象項目名】全文
【補正方法】変更
【補正の内容】
【書類名】明細書
【発明の名称】ミシンのメス駆動機構
【特許請求の範囲】
【請求項１】
ミシンの回転軸に連動する運動変換機構を介して上下動する上メスと、前記上メスと協働する下メスとにより布縁を切断するミシンのメス駆動機構であって、
機枠に枢支され前記上メスを摺動自在に案内するメス駆動部を設け、
前記運動変換機構は、前記メス駆動部のメス作動時に前記上メスに動力を伝達し、前記メス駆動部をメス非作動時に待避位置に枢動して前記上メスに動力を遮断するクラッチを介して前記上メスに連結されていることを特徴とするミシンのメス駆動機構。
【請求項２】
ミシンの回転軸に連動する運動変換機構を介して上下動する上メスと、前記上メスと協働する下メスとにより布縁を切断するミシンのメス駆動機構であって、
機枠に前記上メスを摺動自在に案内するメス駆動部を設け、
前記運動変換機構は、前記メス駆動部のメス作動時に前記上メスに動力を伝達し、前記メス駆動部をメス非作動時に待避位置にし前記上メスに動力を遮断するクラッチを介して前記上メスに連結されていることを特徴とするミシンのメス駆動機構。
【請求項３】
前記運動変換機構は、前記回転軸としての上軸および前記機枠を結ぶ第１の４節回転連鎖と、前記第１の４節回転連鎖の１つのリンクおよび前記機枠の節を使用し前記クラッチの駆動部を他の１つのリンクとする第２の４節回転連鎖とから構成されていることを特徴とする請求項１又は請求項２記載のミシンのメス駆動機構。
【請求項４】
前記クラッチは、駆動部として前記他の１つのリンクに形成されたピンと、従動部として前記上メスに形成され前記ピンが嵌合する長溝とから成ることを特徴とする請求項３記載のミシンのメス駆動機構。
【請求項５】
前記メス駆動部に前記下メスを摺動自在に装着し、前記下メスは、前記メス作動時に前記メス駆動部を針の針落ち位置に対して針板の位置決め凹部に位置決めする位置決め係止部を有することを特徴とする請求項１又は請求項２記載のミシンのメス駆動機構。
【請求項６】
前記針板の位置決め凹部は前記針の針落ち位置に対して縫幅を可変できるように左右に位置調節自在に構成されていることを特徴とする請求項５記載のミシンのメス駆動機構。
【請求項７】
前記メス駆動部に前記下メスを摺動自在に装着し、前記上メスを前記下メスに押圧するメス側圧弾撥部材を備えたことを特徴とする請求項１又は請求項２記載のミシンのメス駆動機構。
【請求項８】
前記メス駆動部は、前記下メスを摺動自在に装着し、前記メス作動時に前記位置決め係止部を前記針板の位置決め凹部に押圧する位置決め弾撥部材を備えたことを特徴とする請求項１又は請求項２記載のミシンのメス駆動機構。
【請求項９】
前記メス駆動部は、前記下メスを摺動自在に装着し、前記メス作動時に前記位置決め係止部を前記針板の位置決め凹部に嵌着する位置決め偏芯カムを備えたことを特徴とする請求項１又は請求項２記載のミシンのメス駆動機構。
【請求項１０】
前記メス駆動部には前記上メスが取替自在に装着されていることを特徴とする請求項１又は請求項２記載のミシンのメス駆動機構。
【請求項１１】
上下動する上メスと、前記上メスと協働する下メスとにより布縁を切断するミシンのメス駆動機構であって、
機枠に枢支され前記上メスを摺動自在に案内するメス駆動部を設け、
前記メス駆動部のメス作動時に前記上メスに動力を伝達し、前記メス駆動部をメス非作動時に待避位置に枢動して前記上メスに動力を遮断するクラッチを備えたことを特徴とするミシンのメス駆動機構。
【発明の詳細な説明】
【０００１】
【発明の属する技術分野】
本発明は、ミシンのメス駆動機構に係わり、特に布縁を切断して本縫で縁かがり縫を行なう作業と布縁を切断することなく本縫を行なう作業とを切換えて実行できるミシンのメス駆動機構に関する。
【０００２】
【従来の技術】
従来から、複数の布地等を縫い合わせる縫目としてミシンで形成される最も基本的な縫目に本縫がある。本縫は、針に通された上糸を針の上下運動によって布を貫通させた時に、下糸を収納する釜の剣先で掬うことにより、上糸と下糸をクロスさせて形成するもので複数の布地を縫目に沿ってしっかり継ぎ合わせることができる。
【０００３】
一方、ほつれやすい布地等の縁部のほつれを防止するために縁かがり縫がある。縁かがり縫はその縫目を形成するための糸の本数及び布面に対し略垂直運動する針の本数によって、１本針２本糸縁かがり縫（米国縫目規格 Stitch type 503)や１本針３本糸縁かがり縫（米国縫目規格 Stitch type 504)、更に環縫と縁かがり縫を組み合わせた通称インターロックといわれる２本針５本糸縫（米国縫目規格 Stitch type 516）などがあり、何れも上下動する上メスと、これと協働する下メスとからなるメスにより布縁を切断して縁かがり縫を行なうものである。
【０００４】
そこで、このような縁かがり縫のように、本縫においてもジグザグ縫で布縁をメスで切断してジグザグ縫を実行すれば簡便な縁かがりを行なうことができる。
【０００５】
このため本縫にメス切断機能を付加したミシンが提案されている（実開昭57−90056号公報、実開昭57−90057号公報、特公昭58−31950号公報等）。
【０００６】
【発明が解決しようとする課題】
しかしながら、一般に本縫ミシンは小型に製作されなければならない理由に加えて、本縫部分とメス切断機構部分ができるだけ近接していることが望ましいが、本縫は上下運動する針の下方に下糸を収納する釜部を必要とする理由から、本縫ミシンの既成の構造空間にメス切断機構部分を組込むことには自ずと限界があり、本縫と布縁切断を一挙に行う本縫ミシンに具体的に実現し商品化することは従来から本縫ミシンの機構上困難であった。
【０００７】
本発明は、このような従来の難点を解消するためになされたもので、ミシンの既成の構造空間にメス切断機構部分を組込むことができ、布縁を切断して本縫で縁かがり縫を行なう作業と布縁を切断することなく本縫を行なう作業とを切換えて実行できるミシンのメス駆動機構を提供することを目的とする。
【０００８】
【課題を解決するための手段】
この目的を達成するため本発明のミシンのメス駆動機構は、ミシンの回転軸に連動する運動変換機構を介して上下動する上メスと、上メスと協働する下メスとにより布縁を切断するミシンのメス駆動機構であって、機枠に枢支され上メスを摺動自在に案内するメス駆動部を設け、運動変換機構は、メス駆動部のメス作動時に上メスに動力を伝達し、メス駆動部をメス非作動時に待避位置に枢動して上メスに動力を遮断するクラッチを介して上メスに連結されている。また、このメス駆動機構は、ミシンの回転軸に連動する運動変換機構を介して上下動する上メスと、上メスと協働する下メスとにより布縁を切断するミシンのメス駆動機構であって、機枠に上メスを摺動自在に案内するメス駆動部を設け、運動変換機構は、メス駆動部のメス作動時に上メスに動力を伝達し、メス駆動部をメス非作動時に待避位置にし上メスに動力を遮断するクラッチを介して上メスに連結されている。
【０００９】
運動変換機構は、回転軸としての上軸および機枠を結ぶ第１の４節回転連鎖と、第１の４節回転連鎖の１つのリンクおよび機枠の節を使用しクラッチの駆動部を他の１つのリンクとする第２の４節回転連鎖とから構成されている。
【００１０】
クラッチは、駆動部として他の１つのリンクに形成されたピンと、従動部として上メスに形成されピンが嵌合する長溝とから成る。
メス駆動部に下メスを摺動自在に装着し、下メスは、メス作動時にメス駆動部を針の針落ち位置に対して針板の位置決め凹部に位置決めする位置決め係止部を有する。
【００１１】
針板の位置決め凹部は針の針落ち位置に対して縫幅を可変できるように左右に位置調節自在に構成されている。
【００１２】
メス駆動部に下メスを摺動自在に装着し、上メスを下メスに押圧するメス側圧弾撥部材を備えている。
【００１３】
メス駆動部は、下メスを摺動自在に装着し、メス作動時に位置決め係止部を針板の位置決め凹部に押圧する位置決め弾撥部材を備えている。
【００１４】
メス駆動部は、下メスを摺動自在に装着し、メス作動時に位置決め係止部を針板の位置決め凹部に嵌着する位置決め偏芯カムを備えている。
【００１５】
メス駆動部には上メスが取替または交換自在に装着されている。
【００１６】
また、本発明のミシンのメス駆動機構は、上下動する上メスと、上メスと協働する下メスとにより布縁を切断するミシンのメス駆動機構であって、機枠に枢支され上メスを摺動自在に案内するメス駆動部を設け、メス駆動部のメス作動時に上メスに動力を伝達し、メス駆動部をメス非作動時に待避位置に枢動して上メスに動力を遮断するクラッチを備えたものである。
【００１７】
このように構成されたミシンのメス駆動機構において、ミシンの回転軸の回転運動はこれに連動する運動変換機構を介して上下動運動に変換され、この上下動運動で上メスと、上メスと協働する下メスとにより布縁を切断する。この場合、機枠に枢支されたメス駆動部により上メスは摺動自在に案内される。運動変換機構はクラッチを介して上メスに連結されている。クラッチはメス駆動部のメス作動時に上メスに動力を伝達し、メス駆動部をメス非作動時に待避位置に枢動して上メスに動力を遮断する。
【００１８】
【発明の実施の形態】
以下、本発明のミシンのメス駆動機構を本縫ミシンに適用したその好ましい実施の形態例について図面にしたがって説明する。
【００１９】
図１に示すように本縫ミシンは本縫形成機構１００とメス駆動機構７０とから構成されている。
【００２０】
本縫ミシンの本縫形成機構１００は、公知（周知）の構造である（特開昭４９−１１７１４８号公報、特開昭５２−１５４４４８号公報、特開昭５３−１０８５４７号公報、特開昭５４−６００５２号公報、特開昭５４−１１００４９号公報、特開昭５５−３５６７６号公報、特開昭５５−１１３４９０号公報、特開昭５５−１４６１９０号公報、特開昭５６−３０９１号公報等）ので、その詳細な説明は省略する。しかしながら、簡単に説明すれば、上糸１を刺し通した針１０と、下糸２を収納し上糸１を引掛けるための剣先２１（図２）を有する釜２０とを備えている。上糸１を刺し通した針１０は針板８に対し垂直方向に軌跡Ｌ10を描いて上下運動する。下糸２を収納する釜２０の剣先２１は、針１０の上下運動と同サイクルで軌跡Ｌ20を描く回転運動をする。釜（剣先）２０は全回転のみならず、半回転であってもよく、要するにその軌跡Ｌ20と針１０の軌跡Ｌ10とが交叉し、剣先２１によって上糸１が掬われる動きをすればよいものである。
【００２１】
また、本縫ミシンにおいてノブＮＢを回転しダイアルＤＬをそれぞれの回転位置に合わせて各種縫モードに切換えることにより直線縫、ジグザグ縫等を行なうことができる。この縫モードに応じた本縫形成機構１００も公知（周知）の構造である（特開昭４８−５０８５３号公報、特開昭４９−３２７５４号公報、特開昭５０−７３７５４号公報、特開昭５４−４６４６号公報、特開昭５４−６６４３号公報、特開昭５４−１２００５７号公報、特開昭５５−１６６７６号公報、実開昭５５−２１６号公報、実開昭５５−４７８７号公報、実開昭５５−８４０６号公報等）ので、その詳細な説明は省略する。
【００２２】
針１０は、本縫ミシンの機枠ＦＲに軸支された回転軸、即ち上軸Ｓ1から運動変換機構ＭＴ1を介して上下動する。上軸Ｓ1は、モータＭからタイミングベルトＴＢ1により回転駆動される。釜２０は、本縫ミシンの機枠ＦＲに軸支された回転軸、即ち下軸Ｓ2から運動変換機構ＭＴ2を介して回転される。下軸Ｓ2はタイミングベルトＴＢ2により上軸Ｓ1と同期し且つ２倍（1：2）に増速して回転駆動される。
【００２３】
本発明の特徴である本縫ミシンのメス駆動機構７０は、本縫ミシンの回転軸、図示の例では上軸Ｓ1に連動する運動変換機構７１（図３、図４）を介して上下動する上メス７２と、上メス７２と協働する下メス７３とにより布５（図２）の布縁５ｃを切断するものである。
【００２４】
本縫ミシンのメス駆動機構７０には、機枠ＦＲに枢支され上メス７２を摺動自在に案内するメス駆動部７４（図１、図３）が設けられている。
運動変換機構７１は、メス駆動部７４のメス作動時に上メス７２に動力を伝達し、メス駆動部７４をメス非作動時に待避位置に枢動して上メス７２に動力を遮断するクラッチ７５（図３）を介して上メス７２に連結されている。
【００２５】
運動変換機構７１は、図１、図３、図４、図６に示すように回転軸としての上軸Ｓ1および機枠ＦＲを結ぶ４リンク７６、７７（７８）、７９、８０から成る第１の４節回転連鎖ＬＫ1と、第１の４節回転連鎖の１つのリンク７９および機枠ＦＲの節Ｎ4を使用しクラッチ７５の駆動部７５１を他の１つのリンク８２とする４リンク７９、８１、８２、８３から成る第２の４節回転連鎖ＬＫ2とから構成されている。なお、第１の４節回転連鎖ＬＫ1においては、リンク７７にリンク７８が固着され、このリンク７８がリンク８０に連結されている。また、リンク７６は固定リンクである。
【００２６】
図４に示す実施例において、運動変換機構７１は、回転軸としての上軸Ｓ1から天秤７３０を上下に駆動する機構から運動を取出して運動変換し上メス７２を上下動させるものである。ただし、運動変換機構７１は、回転軸としての上軸Ｓ1から針１０を上下に駆動する機構から運動を取出して運動変換し上メス７２を上下動させてもよいものである。天秤７３０は上軸Ｓ1から４リンク７６、７７（７８）、７９、８０により上下に駆動される。
【００２７】
クラッチ７５は、図３、図５に示すように駆動部７５１として他の１つのリンク８２に形成されたピン８４と、従動部７４１として上メス７２に形成されピン８４が嵌合する長溝８５とから成る。ピン８４は駆動部７５１としての他の１つのリンク８２の折曲がった下端部の取付穴７５２にナット７５３で螺着されている。
【００２８】
メス駆動部７４には従動部７４１としてのメス駆動板７４２に下メス７３が摺動自在に装着されている。この摺動構造を達成するために、下メス７３はビス７４３により摺動板７４４に固定されている。枢動部材７４５の突起７４６が摺動板７４４の開口７４７とメス駆動板７４２の開口７４８とに嵌入して止め具７４９にビス７６０で枢動部材７４５が固定されている。このためメス駆動部７４は摺動板７４４、即ち、下メス７３を開口７４７、７４８と突起７４６の相対的寸法内で摺動自在に装着することになる。
【００２９】
メス駆動部７４のメス駆動板７４２には上メス７２がピン７６１により取替自在に装着されている。上メス７２を下メス７３に押圧するメス側圧弾撥部材８８を備えている。メス側圧弾撥部材８８は弾性Ｕ型部材で構成されピン７６３により摺動板７４４に枢着されるもので、上メス７２がピン７６１でメス駆動板７４２に装着された状態で弾性Ｕ型部材７６２を嵌め込んで当該弾性Ｕ型部材７６２を保持し上メス７２を下メス７３に押圧している。
【００３０】
下メス７３は図８、図９に示すように、メス作動時にメス駆動部７４を針１０の針落ち位置ＰＳに対して針板８が有する位置決め板８６の位置決め凹部８６aに位置決めする位置決め係止部８７を有する。位置決め凹部８６aが形成された位置決め板８６は、針落ち位置ＰＳに対して縫幅Ｗを可変できるように左右に位置調節自在に構成されている。即ち、位置決め板８６は針板８に設けられた凹部８aに対して縫幅Ｗ方向へ可変できるように左右に位置調節自在に組み込まれ、位置決め後、ねじ等により固定される。
【００３１】
メス駆動部７４は、下メス７３を摺動自在に装着しており、メス作動時に位置決め係止部８７を針板８が有する位置決め板８６の位置決め凹部８６aに押圧する位置決め弾撥部材８９を備えている。位置決め弾撥部材８９は枢動部材７４５に開けられた取付け穴に挿入されピン７６３で固定される受板７６４と枢動部材７４５との間に嵌挿され、メス作動時に位置決め係止部８７を位置決め板８６の位置決め凹部８６aに押圧する。
【００３２】
メス駆動部７４の枢動部材７４５はピン７６５により止め具７６６の枢着穴７６７に枢支されている。止め具７６６は止め腕７６８により機枠ＦＲに固定されている。このようにしてメス駆動部７４は機枠ＦＲに枢支され上メス７２を摺動自在に案内する。
【００３３】
また、位置決め弾撥部材８９、受け板７６４を用いることなく、図７に示すようにメス駆動部７４は、下メス７３を摺動自在に装着し、メス作動時に位置決め係止部８７を、針板８が有する位置決め板８６の位置決め凹部８６aに嵌着させる位置決め偏芯カム９０を備えてもよい。この偏芯カム９０を備えたメス駆動部７４は、クラッチ７５の部品である駆動部７５１のピン８４に嵌合させる溝８５′が設けられ且つ上メス７２が固着されるメス駆動体９４２と、このメス駆動体９４２に並設される摺動案内体９４６と、この摺動案内体９４６に並設され下メス７３が固着される摺動体９４４と、これら３部品が上からメス駆動体９４２、摺動案内体９４６および摺動体９４４の順で摺動自在に嵌挿される摺動軸９４８とから構成されている。
【００３４】
摺動案内体９４６には、摺動体９４４に形成された凸部９４４aが摺動軸９４８の軸方向に摺動可能に嵌合する案内溝が形成され、さらに摺動体９４４に係合する枢動部材９４５が固着されている。なお、摺動案内体９４６は摺動軸９４８にビスにて固定されている。摺動体９４４は、一端部にカムフォロアとしての溝部を備え、枢動部材９４５に開けられた軸穴を軸心として操作つまみ９１によって回転自在に装着された位置決め偏芯カム９０の回転運動により上下に移動することになる。また、メス駆動体９４２には、上メス７２を下メス７３に押圧するメス側圧弾性部材９５０が固着されている。さらに、メス駆動部７４の枢動部材９４５はピンにより止め具７６６の枢着穴７６７に枢支されている。止め具７６６は止め腕７６８により機枠ＦＲに固定されている。このようにしてメス駆動部７４は機枠ＦＲに枢支され上メス７２を摺動自在に案内する。
【００３５】
このような構成のメス駆動部７４によれば、操作つまみ９１を回転させることにより位置決め偏芯カム９０が偏芯し下メス７３を上方に移動させることができるので、下メス７３の位置決め係止部８７が、針板８が有する位置決め板８６の位置決め凹部８６aに嵌まり込んでいる状態を解除させることができる。また、操作つまみ９１の回転操作により下メス７３を下方に移動させ、下メス７３の位置決め係止部８７を針板８が有する位置決め板８６の位置決め凹部８６aに嵌め込むことができる。
【００３６】
このように構成された本縫ミシンにおいて、図２に示すように、上糸１を刺し通した針１０は上軸Ｓ1の回転に伴い針板８に対し垂直方向に軌跡Ｌ10を描いて上下運動する。本縫は従来の本縫と同様に針１０に刺し通された上糸１が針１０の上下運動に追従して布５を貫通した後、針１０が下死点から上昇し始めた時にＲ点で上軸Ｓ1と同期する下軸Ｓ2の回転に伴い釜２０の剣先２１が上糸１を掬うことにより上糸１と下糸２が交叉し、更に上方に戻る針１０及び天秤７３０（図４）によって上糸１が引き上げられる時、下糸２を引き上げることによって、それぞれ被縫製体、例えば二枚重ねの布５の上面５ａと下面５ｂとに布面に平行な縫目１ａ、２ａを形成すると共に、互いに布５の垂直方向で例えば厚さ方向の中央付近で交叉して布５を貫通する縫目を形成して一回の布送り毎に上記動作が繰り返されることにより連続した本縫が形成される。
【００３７】
ミシンの回転軸、図示の例で上軸Ｓ1の回転運動はこれに連動する運動変換機構７１（図１、図３、図４、図６）を介して上下動運動に変換される。即ち、上軸Ｓ1が回転すると第１の４節回転連鎖ＬＫ1のリンク７７、７８をクランクとしリンク８０を連結棒とし、リンク７９をロッカアームとして揺動させる。リンク７９の揺動により第２の４節回転連鎖ＬＫ2のリンク８１が揺動され、リンク８２、したがってクラッチ７５の駆動部７５１が上下動する。なお、リンク８２の運動軌跡は４節回転連鎖機構ＬＫ1、ＬＫ2により楕円軌跡を描き、駆動部７５１の近郊ＰＬ点では垂直方向に近似直線の軌跡を描いて機枠ＦＲに固着された案内板７５５の案内長穴７５５aを貫通してリンク８２のＰＬ点に留められたガイドピン７５４によってメス駆動部７４からの反動を支えている。これにより、駆動部７５１は横方向の運動が規制され上下動運動のみが上軸Ｓ1の１回転についてストロークｔ（図４）で得られる。
【００３８】
運動変換機構７１で運動変換された上下動運動はクラッチ７５の駆動部７５１のピン８４と、従動部７４１としてのメス駆動部７４のメス駆動板７４２のピン８４が嵌合する長溝８５を介して上メス７２に伝達される。下メス７３の位置決め係止部８７が、針板８が有する位置決め板８６の位置決め凹部８６aに嵌まり込んでメス駆動部７４を針１０の針落ち位置ＰＳに対して位置決めしているメス作動状態（図８）では、機枠ＦＲに枢支されたメス駆動部７４のメス駆動板７４２により上メス７２は摺動板７４４上で摺動自在に案内される。このメス作動状態では、メス駆動部７４はピン７６５の周りで垂直状態に維持され、長溝８５の長手方向が水平方向を向いているためクラッチ７５の駆動部７５１のピン８４と従動部７４１の長溝８５は動力伝達されメス駆動部７４のメス作動時に上メス７２に動力を伝達し、この上下動運動で上メス７２と、上メスと協働する下メス７３とにより布５の布縁５ｃを切断する。
【００３９】
このようにして布５の布縁５ｃを切断してジグザグ縫等を行なうことにより縁かがり縫作業を同じに実行可能となる。
【００４０】
いま、布５の布縁５ｃを切断することなく本縫のみを行ないたいメス非作動状態時には図９に示すように、摺動板７４４を持ち上げて又は操作つまみ９１によって偏芯カム９０を回動し（図７）、下メス７３の位置決め係止部８７が、針板８が有する位置決め板８６の位置決め凹部８６aに嵌まり込んでいる状態を解除してメス駆動部７４をピン７６５の周りで水平状態の待避位置に枢動することにより、長溝８５の長手方向が垂直方向を向くためクラッチ７５の駆動部７５１のピン８４は従動部７４１の長溝８５内で遊動するだけとなり上メス７２に動力を遮断する。
【００４１】
このようにしてメス駆動部７４を水平状態の待避位置に枢動する簡便な操作により布５の布縁５ｃを切断することなく本縫のみを行なう作業に切換えることが可能である。
【００４２】
【発明の効果】
以上の実施例から明らかなように、本発明のミシンのメス駆動機構によれば、ミシンの既成の構造空間にメス切断機構部分を組込むことができ、布縁を切断して本縫で縁かがり縫を行なう作業と布縁を切断することなく本縫を行なう作業とを切換えて実行することができる。
【図面の簡単な説明】
【図１】
本発明のミシンのメス駆動機構を適用した本縫ミシンの一実施例を示す斜視図。
【図２】
（ａ）、（ｂ）は本発明のミシンのメス駆動機構を適用した本縫ミシンの動作を簡単に示す図。
【図３】
本発明のミシンのメス駆動機構における運動変換機構及びメス駆動部を示す斜視図。
【図４】
（ａ）、（ｂ）は本発明のミシンのメス駆動機構における運動変換機構の動作を示す説明図。
【図５】
本発明のミシンのメス駆動機構における運動変換機構及びメス駆動部を示す分解斜視図。
【図６】
本発明のミシンのメス駆動機構における運動変換機構の動作を示す説明図。
【図７】
本発明のミシンのメス駆動機構における他の実施例のメス駆動部を示す図で、ミシンの裏側から見た状態の斜視図。
【図８】
本発明のミシンのメス駆動機構におけるメス作動状態を示す斜視図。
【図９】
本発明のミシンのメス駆動機構におけるメス非作動状態を示す斜視図。
【符号の説明】
５ｃ……布縁
８……針板
１０……針
７０……ミシンのメス駆動機構
Ｓ1……ミシンの回転軸（回転軸としての上軸）
７１……運動変換機構
７２……上メス
７３……下メス
ＦＲ……機枠
７４……メス駆動部
７５……クラッチ
ＬＫ1……第１の４節回転連鎖
７６、７７（７８）、７９、８０……４リンク
７９……第１の４節回転連鎖の１つのリンク
Ｎ4……機枠の節
７５１……クラッチの駆動部
８２……他の１つのリンク
ＬＫ2……第２の４節回転連鎖
７９、８１、８２、８３……４リンク
８４……ピン
７４１……クラッチの従動部
８５……長溝
ＰＳ……針の針落ち位置
８６ａ……位置決め凹部
８７……位置決め係止部
Ｗ……縫幅
８８……メス側圧弾撥部材
８９……位置決め弾撥部材
９０……位置決め偏芯カム